(57)【特許請求の範囲】
【請求項１】
複数の通話グループを有する交換装置における通話グループの選択方法において、前記通話グループそれぞれでリソース対応に接続電話番号および主接続マークを記録する参加者テーブルを設け、
加入者から通話回線を介して通話グループの指定を受け前記加入者の電話番号を前記接続電話番号に記録する際には前記複数の通話グループのうちの一つのみを主グループに設定して対応する前記主接続マークに接続中を記録し、
前記主グループのリソースを保留したままその通話回線を、前記主グループとは異なる別のグループの切替先に接続するため主グループからの離脱要求をその通話回線から受けた際には前記主グループのリソースを保留とし対応する前記主接続マークに保留を記録してその通話回線を前記別のグループの切替先に接続し、当該別のグループの前記切替先に対しては前記主接続マークへの記録を行うことなく加入者の電話番号のみを前記接続電話番号として記録させ、これによって当初設定された前記主グループを維持し、
前記主グループに戻す切替え要求をその通話回線から受けた際にはその通話回線を前記主グループの保留されたリソースに接続して対応する前記主接続マークに接続中を記録することを特徴とする交換装置における通話グループ選択方法。
【請求項２】
請求項１に記載の交換装置における通話グループ選択方法において、同一通話グループに参加予約するため加入者から通話回線を介し通話グループの指定を受けて前記加入者の電話番号を受付けの際には当該電話番号を当該通話グループのリソースに対応の前記主接続マークに保留を記録することを特徴とする交換装置における通話グループ選択方法。
【請求項３】
複数の通話グループを有する交換装置において、
通話グループそれぞれのリソース対応に、接続される通話回線から受ける電話番号および主接続マークを記録する記憶領域を有する参加者テーブルと、
参加する通話グループに対して主グループの指定を通話回線から受付けの際、すべての前記通話グループのうちの一つのみを主グループに設定して対応する前記主接続マークに接続中を記録し、前記主グループのリソースを保留したままその通話回線を、前記主グループとは異なる別のグループの切替先に接続するため主グループからの離脱要求をその通話回線から受けた際には前記主グループのリソースを保留とし対応する前記主接続マークに保留を記録してその通話回線を前記別のグループの切替先に接続し、当該別のグループの前記切替先に対しては前記主接続マークへの記録を行うことなく加入者の電話番号のみを前記接続電話番号として記録させ、これによって当初設定された前記主グループを維持し、前記主グループに戻す切替え要求をその通話回線から受けた際にはその通話回線を前記主グループの保留されたリソースに接続して対応する前記主接続マークに接続中を記録する制御部と、
を備えることを特徴とする交換装置。
【請求項４】
請求項３に記載の交換装置において、前記制御部は、同一通話グループに参加予約するため加入者から通話回線を介して通話グループの指定を受けて前記加入者の電話番号を受付けの際には当該電話番号を記録すると共に当該通話グループのリソースに対応の前記主接続マークに保留を記録することを特徴とする交換装置。
【発明の詳細な説明】
【技術分野】
【０００１】
本発明は、複数の電話端末を一つのグループに構成してグループ内の同時通話を行う通話グループを、複数グループ備える交換装置にあって、その通話グループ選択が確実で容易な方法及びその交換装置に関するものである。
【背景技術】
【０００２】
電話交換装置、例えば企業内交換機には、収容される複数の電話機を一つのユニットに接続してグループを形成する例えばグループ会議機能が備えられている。すなわち、電話会議のように全電話機からの送話は一つだけを選択し、選択された送話は全電話機で同時に受話できるような機能が備えられている。特に、規模が拡大した場合には、複数のグループが形成され、それぞれのグループがユーザにより電話機から選択されている。
【０００３】
従来の電話交換機では、保留機能を有するので、ある会議に参加している電話機を他の会議に参加させる場合、使用中の回線を保留して新規発呼し、別の会議に参加することができる。この方法では、最初の会議に戻る場合、接続中の回線を切断したのち、保留を解除すれば、確実に戻ることができる。しかし、保留機能は、他の電話機からも所定操作によりアクセス可能な場合があるため、誤操作されることにより、接続を切断される可能性が高い。
【０００４】
一方、複数の通話グループにおいて、参加中の通話グループを原通話グループとし、原通話グループとは別の通話グループに参加したい場合、いったん参加中の通話グループの通話を終了し、新たな発呼により、別の会議に改めて参加する手順がある。しかし、新規参加の通話グループに備えられるリソースに空きがなかった場合には会議に参加できず、更には、戻りたい原通話グループにも空きリソースが他のユーザに使用されて戻れなくなることがある。
【発明の開示】
【発明が解決しようとする課題】
【０００５】
解決しようとする課題は、複数の通話グループを備える電話交換装置において、ユーザが通話グループを変更する際に、主とする通話グループが決められていても、保留機能では他の電話機操作により切断される恐れがあり、接続替え操作でも他の電話機の参加により空きリソースがなくなるので、元の主通話グループに戻ることができない状態が生じることである。
【課題を解決するための手段】
【０００６】
本発明は、複数の通話グループを備える電話交換装置において、各電話機が、通話グループを容易でかつ確実に変更できると共に、主とする通話グループには常に確実に戻ることができることを目的とする。
【０００７】
そのため、交換機における通話グループ選択方法は、前記通話グループそれぞれでリソース対応に接続電話番号および主接続マークを記録する参加者テーブルを設け、加入者から通話回線を介して通話グループの指定を受け前記加入者の電話番号を前記接続電話番号に記録する際には前記複数の通話グループのうちの一つのみを主グループに設定して対応する前記主接続マークに接続中を記録し、前記主グループのリソースを保留したままその通話回線を切替先に接続するため主グループからの離脱要求をその通話回線から受けた際には前記主グループのリソースを保留とし対応する前記主接続マークに保留を記録してその通話回線を切替先に接続し、元の主グループに戻す切替え要求をその通話回線から受けた際にはその通話回線を前記主グループの保留されたリソースに接続して対応する前記主接続マークに接続中を記録することを特徴とする。また、同一通話グループに参加予約するため加入者から通話回線を介し通話グループの指定を受けて前記加入者の電話番号を受付けの際には当該電話番号を当該通話グループのリソースに対応の前記主接続マークに保留を記録することができる。
【０００８】
具体的には、本発明による電話交換装置は、通話グループそれぞれのリソース対応に、接続される通話回線から受ける電話番号および主接続マークを記録する記憶領域を有する参加者テーブルと、参加する通話グループに対して主グループの指定を通話回線から受付けの際、すべての前記通話グループのうちの一つのみを主グループに設定して対応する前記主接続マークに接続中を記録し、前記主グループのリソースを保留したままその通話回線を切替先に接続するため主グループからの離脱要求をその通話回線から受けた際には前記主グループのリソースを保留とし対応する前記主接続マークに保留を記録してその通話回線を切替先に接続し、元の主グループに戻す切替え要求をその通話回線から受けた際にはその通話回線を前記主グループの保留されたリソースに接続して対応する前記主接続マークに接続中を記録する制御部とを備える。また、前記制御部は、同一通話グループに参加予約するため加入者から通話回線を介して通話グループの指定を受けて前記加入者の電話番号を受付けの際には当該電話番号を記録すると共に当該通話グループのリソースに対応の前記主接続マークに保留を記録することができる。
【００１０】
また、電話番号と主グループとの記録設定が電話会議主催者により所定の手順で行うこともできる。この設定では、当初の主接続マークは非接続中の予約登録であり、電話機の呼接続要求により接続された際に、主接続マークが接続中に変更される。
【発明の効果】
【００１２】
本発明の交換機における通話グループ選択方法及びそのシステムは、電話機又はその電話機が接続される通話回線に対応する主グループが予め指定されており、電話機がそのリソースに接続されることにより、その電話機を別のリソースに切替えられる際には主グループのリソースを保留したまま切替え接続し、その電話機を元の主グループに切替えて戻す際には主グループの保留されたリソースに切替え接続するため、通話グループを主グループから別のリソースに切替えた後でも元の保留されたリソースに切替え接続を可能とするので、いつでも元の主グループに確実に戻すことができるという利点がある。
【００１３】
また、リソースに対応する記憶領域に接続された電話番号と接続中又は非接続中という接続状態を示す主接続マークとが通話グループ毎に記録される参加者テーブルが備えられるので、主グループ切替要求の際に切替先の通知を受けるのみで、確実に主となる通話グループの切替えが可能となる。従って、主グループ切替えが簡単、容易である。
【発明を実施するための最良の形態】
【００１４】
複数の通話グループを備える電話交換装置において、各電話機が、通話グループを容易でかつ確実に変更できると共に、主とする通話グループには常に確実に戻ることができるという目的を、電話機の主グループを予め登録してそのグループのリソースに接続し、その電話機を別のリソースに切替える際には主グループのリソースを保留したまま切替え接続し、その電話機を元の主となる通話グループに切替えて戻す際には主グループの保留されたリソースに切替え接続することにより実現した。
【００１５】
以下の実施例では、構内交換機を説明しているが、ボタン電話装置でもよく、一般の電話交換装置に適用できる。また、通話グループを電話会議用としてグループ参加を会議参加としているが、グループ通話は会議であるとは限らない。更に、主グループのリソースと別のグループのリソースとの間での切替を説明しているが、通話グループ間だけではなく、単独通話のための切替えでも下記機能は適用可能である。更に、電話機が接続され電話機からの情報を受付けする通話回線は、内線として図示し説明しているが、外線、及び専用線のいずれをも含むことができる。従って、本発明の特徴となる点は、主グループからの離脱と主グループへの復帰又は接続とにある。
【実施例１】
【００１６】
本発明の実施例１について図面を参照して説明する。実施例１では、主グループの呼接続要求が、グループ通話のための、最初の呼接続要求で自動的に設定されるものとする。また、一つの電話機、又は電話番号に対して一つの主グループのみが設定されるものとする。
【００１７】
図１は、本発明の電話交換装置を構内交換機１０の機能ブロックにより実施の一形態に示した説明図である。
【００１８】
構内交換機１０は、一方で複数の多機能電話機２０に接続する内線を、他方で外線及び専用線をそれぞれ収容し、電話機ＩＦ（インタフェース）１１、ＳＷ（スイッチ）１２、グループ会議ユニット１３、グループ会議ユニット１３に含まれるリソース１４及びグループ通話処理部１５、制御部１６、及び会議参加者テーブル（又は、参加者テーブル）１７により構成される。構内交換機１０として必要な機能であっても本発明に直接関連無いものは紙面の都合もあり省略されている。
【００１９】
多機能電話機２０には、例えば、情報入力部であるダイヤルパッド、キーパッドなどが必要であるが図示されていない。この情報入力部には、ユーザによる所定の手順で、呼接続要求、グループ指定、グループ切替え要求などが入力される。また、可視情報出力部である液晶ディスプレイ、発光ダイオードなどが必要であるが図示されていない。更に、可聴情報出力部としてスピーカ、ブザーなどが備えられている。
【００２０】
電話機ＩＦ１１は、多機能電話機２０と接続して信号又はメッセージを授受し、制御部１６に伝達すると共に通話路をＳＷ１２に接続する。ＳＷ１２は、電話機ＩＦ１１、専用線、外線、グループ会議ユニット１３のリソース１４、及び内線相互を接続するユニット（図示されていない）などを収容接続し、制御部１６の制御を受けて多機能電話機２０相互間、多機能電話機２０と他の回線との相互間、などを接続する。グループ会議ユニット１３は、複数のリソース１４及びそれを接続する一つのグループ通話処理部１５を含み、リソース１４に接続される多機能電話機２０間のグループ通話を可能とする。制御部１６は、構内交換機１０の各構成要素と接続し、交換機機能を発揮するよう制御する。制御部１６の動作手順の詳細は、フローチャートを参照して後に説明する。
【００２１】
会議参加者テーブル１７では、グループ（ＧＲＰ）毎に、符号、例えば「Ａ，Ｂ」が付与され、リソース１４にはそれぞれのグループでリソース番号「１、２、・・」が付与され、かつ、それぞれのグループでリソース数を最大とするグループ会議への参加者数が計測記録されている。更に、会議によりグループ会議ユニット１３が使用される際には、各リソースに対応して接続されている多機能電話機２０の電話番号が接続電話番号として記録されている。また、そのグループを主グループとする電話番号には主接続マークが付与されている。実施例１では、リソース１４の無駄な保留を避けるため、一つの電話番号では一つのグループのみに主接続マークの付与が可能とされている。
【００２２】
次に、図２を参照して会議参加者テーブル１７について説明する。
【００２３】
会議参加者テーブル１７Ａにおいて、グループＡでは、リソース「１、２、〜６」に六つの電話番号「２００１、２００４、〜２０１３」それぞれが接続されており、接続中を意味する主接続マークＲが記録されている。すなわち、六つ全てのリソース１４に多機能電話機２０が接続され、会議通話が実施されている。他方のグループＢにおいては、リソース「１、２、〜８」のうちのリソース「１」を含む４つの多機能電話機２０が接続されており、会議中である。
【００２４】
この状態から、グループＡのリソース６に接続される電話番号「２０１３」の多機能電話機２０がグループＡで会議中にこの会議から一時離れてグループＢの会議に参加する例について説明する。
【００２５】
構内交換機１０は、多機能電話機２０からグループＢへの会議参加指示を受けた際に、グループＢでのリソース１４の空き状態を調べて空きリソース「２」を確認し、この接続電話番号領域に電話番号「２０１３」を記録してこれを予約すると共にグループＡのリソース６を保留状態にする。この際、主グループの主接続マークＲは、非接続中であり保留を意味する主接続マークＨに変更される。
【００２６】
この結果、図示される会議参加者テーブル１７Ｂの状態が実現する。
【００２７】
次に、図３に図１及び図２を併せ参照して構内交換機１０の主要動作手順について説明する。
【００２８】
まず、制御部１６は、電話番号（例えば、２０１３）を付与された多機能電話機２０から電話機ＩＦ１１を介してグループ指定（例えば、Ａ）を含む呼接続要求を受付け（手順Ｓ１）する。この際、制御部１６は、会議参加者テーブル１７で指定されたグループＡの空きリソースを検索（手順Ｓ２）する。グループＡで空きリソース番号（例えば、Ｎ）が検索（手順Ｓ３のＹＥＳ）された場合、制御部１６は、番号「Ｎ」のリソース１４に割り付けし、会議参加者テーブル１７のグループＡ・リソース番号「Ｎ」の記録領域で、接続電話番号「２０１３」及び主接続マークＲを記録（手順Ｓ４）し、グループＡの参加者数に数値「１」を加算（手順Ｓ５）すると共に、ＳＷ１２を制御して発呼の電話番号「２０１３」の多機能電話機２０を割り付けした番号「Ｎ」のリソース１４に接続（手順Ｓ６）する。この時点で、図２の会議参加者テーブル１７Ａが実現したとする。
【００２９】
この結果、電話番号「２０１３」の多機能電話機２０は、グループ会議ユニット（Ａ）で、番号「Ｎ」のリソース１４からグループ通話処理部１５を介して通話グループ（Ａ）を形成するので、ユーザ同士のグループ通話が開始（手順Ｓ７）される。その通話中状態は、制御部１６が電話番号「２０１３」の多機能電話機２０からグループＢを指定したグループ切替え要求の受付け（手順Ｓ８のＹＥＳ）又は通話の終了（手順Ｓ９のＹＥＳ）まで、維持される。手順Ｓ８の「ＹＥＳ」によりグループ切替え処理（手順Ｓ３０）が開始され、また、手順Ｓ９の「ＹＥＳ」により通話終了処理（手順Ｓ２０）が実行される。
【００３０】
上記手順Ｓ３が「ＮＯ」で空きのリソース１４がない場合、制御部１６は「リソース無し」の所定の信号を発呼の多機能電話機２０へ送り、ユーザに通知（手順Ｓ１０）して手順を終了する。
【００３１】
次いで、図４に図１から図３までを併せ参照して通話終了処理手順Ｓ２０について説明する。
【００３２】
多機能電話機２０から終話又は通話路切断の信号を受けた制御部１６は、会議参加者テーブル１７からその多機能電話機２０対応の接続電話番号記録を検索（手順Ｓ２１）し、ＳＷ１２を制御して検索された電話番号対応のリソース番号を有するリソース１４を電話機との接続から解放（手順Ｓ２２）する。次いで、制御部１６は、対応する記録された情報を会議参加者テーブル１７から削除（手順Ｓ２３）すると共にそのグループの参加者数から数値「１」を減算（手順Ｓ２４）して、該当のリソースを空き状態に設定する。複数のグループにわたる場合では、この処理がそれぞれのグループで実行される。
【００３３】
次いで、図５に図１から図４までを併せ参照して、上記図３の手順８の「ＹＥＳ」で制御部１６がグループ切替え要求を受付けた後のグループ切替え処理手順Ｓ３０について説明する。上述したように、制御部１６が、電話番号「２０１３」の多機能電話機２０からグループＢを指定したグループ切替え要求を受付けしたものとする。
【００３４】
まず、制御部１６は、会議参加者テーブル１７で受付けした切替先グループＢと参加中グループＡとを照合（手順Ｓ３１）し、同一グループでないこと（手順Ｓ３２のＮＯ）を確認し、切替先グループＢにおいて要求元である電話番号「２０１３」を検索（手順Ｓ３３）する。
【００３５】
本実施例１では、一つの電話機、又は電話番号に対して一つのみの主グループが設定されるとしているので、切替先グループＢでは電話番号「２０１３」無し（手順Ｓ３４のＮＯ）である（図２の会議参加者テーブル１７Ａ参照）。従って、別グループのグループＢへの切替え処理（手順Ｓ４０）が実行される。
【００３６】
上記手順Ｓ３２が「ＹＥＳ」で同一グループであるということは、参加中のグループを選択しているので、グループ切替え無しで直ちに切替え終了音を要求元の多機能電話機２０へ出力してユーザに通知する。この場合、この手順以前の状態を維持するので、手順は上記手順Ｓ７に戻り、手順Ｓ８と手順Ｓ９とを繰り返す。
【００３７】
また、上記手順Ｓ３４が「ＹＥＳ」で切替先グループに同一電話番号「２０１３」があった場合、主グループである原グループに戻るので、保留されている主接続マークＨの記録あり（手順Ｓ３６のＹＥＳ）が検索される。従って、手順は原グループへの復帰処理（手順Ｓ７０）に進む。手順Ｓ３６が「ＮＯ」で主接続マークＨの記録無しの場合、異常な状態であり所定の警報が出力される異常状態処理（手順Ｓ３７）が実行される。
【００３８】
次いで、図６及び図７に図１から図５までを併せ参照して、上記図５の手順３４が「ＮＯ」すなわち、切替先グループＢで電話番号「２０１３」無しの場合で、制御部１６が別グループのグループＢへ切替えする処理手順Ｓ４０について説明する。上述したように、制御部１６が、電話番号「２０１３」の多機能電話機２０からグループＢを指定したグループ切替え要求を受付けしたものである。
【００３９】
まず、制御部１６は会議参加者テーブル１７Ａで切替先グループＢの参加者数「４」を検索（手順Ｓ４１）して定員数「８」未満（手順Ｓ４２のＮＯ）であることを確認する。空きリソースの存在を確認した制御部１６は、接続先のリソース１４を切替先グループＢの空きリソース番号「２」に割り付けし、電話番号「２０１３」を記録（手順Ｓ４３）すると共にグループＢの参加者数に数値「１」を加算（手順Ｓ４４）して参加者数「５」とする。この時点で、図２の会議参加者テーブル１７ＢにおけるグループＢ領域の記録が完成する。上記手順Ｓ４２が「ＹＥＳ」で参加者数が定員数の場合、リソースの割付けができないので、切替先リソース無しの所定の通知を出力（手順Ｓ４５）する。
【００４０】
上記手順Ｓ４３及び手順Ｓ４４における切替先グループでの予約処理に次いで、制御部１６は該当する電話番号「２０１３」を今まで参加中のグループＡで検索（手順Ｓ５１）する。該当する電話番号「２０１３」はグループＡを主グループとしているので、その領域では主接続マークＲの記録あり（手順Ｓ５２のＹＥＳ）である。従って、このグループ切替え処理は現グループからの離脱処理である。
【００４１】
すなわち、制御部１６は、参加中であったグループＡから電話番号「２０１３」に対応するリソース１４を検索（手順Ｓ５３）し、その接続を、ＳＷ１２を制御して解放（手順Ｓ５４）すると共に、主接続マークＲを主接続マークＨに変更（手順Ｓ５５）する。この結果として、グループＡの記録は会議参加者テーブル１７Ｂに示されるようになる。次いで、制御部１６は、電話番号「２０１３」の電話機２０を切替先の別グループＢにおける上記手順Ｓ４３で既に割り付けられたリソース番号「２」のリソース１４に、ＳＷ１２を制御して接続（手順Ｓ５６）を実行して上記手順Ｓ７のグループＢでのグループ通話開始手順に戻る。
【００４２】
一方、上記手順Ｓ５２が「ＮＯ」で主接続マークの記録無しの場合、制御部１６は、会議参加者テーブル１７の参加中であったグループからその多機能電話機２０対応の電話番号記録を検索（手順Ｓ６１）し、ＳＷ１２を制御して検索された電話番号対応のリソース番号を有するリソース１４を電話機との接続から解放（手順Ｓ６２）する。次いで、制御部１６は、会議参加者テーブル１７から対応する記録された情報を削除（手順Ｓ６３）すると共にそのグループの参加者数から数値「１」を減算（手順Ｓ６４）して、上記手順Ｓ５６に進み、切替先である別グループの割付済リソースに接続する。
【００４３】
次いで、図８に図１から図７までを参照して、図５の手順Ｓ３６の「ＹＥＳ」に続く原グループへの復帰処理手順Ｓ７０について説明する。これは、図２の会議参加者テーブル１７Ｂの記録状態から、会議参加者テーブル１７Ａの記録状態に戻る手順である。
【００４４】
まず、制御部１６は、会議参加者テーブル１７Ｂにおける参加中のグループＢから電話番号「２０１３」対応の記録を検索（手順Ｓ７１）し、リソース番号「２」のリソース１４の接続を、ＳＷ１２を制御して解放（手順Ｓ７２）する。次いで、制御部１６は、この解放リソース対応の接続電話番号「２０１３」を削除（手順Ｓ７３）し、該当するグループＢの参加者数「５」を数値「１」だけ減算（手順Ｓ７４）して参加者数「４」にする。次いで、制御部１６は、切替先である原グループＡは主グループなので上記手順Ｓ３６で確認した接続電話番号「２０１３」領域の主接続マークＨを主接続マークＲに変更（手順Ｓ７５）して、切替え指定元の電話番号「２０１３」の電話機２０を、ＳＷ１２を制御してグループＡにおけるリソース番号「Ｎ」のリソース１４に接続（手順Ｓ７６）する。
【００４５】
上記説明では、主グループからの切替先を別のグループとしたが、例えば、従来の保留操作から別発呼により切替え接続することができることは当然である。
【００４６】
このような構成を採用したので、ユーザが最初のグループ通話のために主グループとする通話グループを指定して所定の発呼手続、又は呼接続要求をすることにより、特別な主グループの指定無しで、主グループを設定できる。主グループは重複することがないのでグループ切替えの際には一つのリソースが保留されるのみで、リソースの無駄な保留を避けることができるという効果がある。
【実施例２】
【００４７】
実施例２では、図１において、多機能電話機２０から機能ボタン又はダイヤルボタンの組合せで所定の主グループを指定することができる。従って、制御部１６は、主グループ指定を受付ける都度、会議参加者テーブル１７で指定元多機能電話機２０の電話番号と主接続マークとを記録するが、記録の際、後からの指定を採用して設定し、以前の指定記録を消去している。
【００４８】
このような構成を採用することにより、一つの主グループを随時変更設定することができる。この結果、確実に戻れるグループを容易に変更することが可能となる。
【００４９】
例えば、通話中の多機能電話機２０が所定の手順でボタン操作により制御部１６を呼び出し、所定の主グループ指定によりグループ会議ユニット１３に接続できるので、このグループ通話参加者以外と通話している第３者を呼び込むことも可能であり、複数参加者による井戸端会議の随時開催も容易である。
【実施例３】
【００５０】
実施例３では、図１において、制御部１６が、一つの電話機又は一つの電話番号に対して複数の主グループを設定できることも当然である。この場合、制御部１６は、主グループ指定を受付ける都度、会議参加者テーブル１７で指定元多機能電話機２０の電話番号と主接続マークとを逐次記録する。
【００５１】
このような構成を採用することにより、主グループ指定された複数の通話グループに必ずリソースが保留されており、自由に戻ることができるので、グループの移動が簡単、容易、かつ確実となる。
【実施例４】
【００５２】
実施例４では、図１において、制御部１６が、所定の手順で一つの主催者電話機又は通信端末から一つのグループに対して複数の電話番号を予め受付けした際、受付けの複数電話番号を会議参加者テーブル１７でリソースに順次記録すると共に主接続マークＨを記録する。従って、制御部１６は、記録された電話番号の多機能電話機２０からグループ指定を受けた場合、会議参加者テーブル１７で記録設定されたリソースに接続し、主接続マークＨを主接続マークＲに変更する。
【００５３】
このような構成を採用することにより、会議主催者がグループ指定して会議の参加者を予め登録することにより、登録された電話機から発呼するユーザはそのグループ会議に自由に参加及び離脱が可能となる。
【産業上の利用可能性】
【００５４】
本発明では、電話交換装置の記憶領域に複数の通話グループを含む参加者テーブルを備え、それぞれの通話グループに設備されるリソースに対応して電話番号と主グループ設定を示す主接続マークとの記録領域を設け、主接続マークには接続中（参加中）と非接続中（離脱中・保留中）との二つのマークを備えることにより、主接続マークを記録した電話機はそのグループからの離脱も参加も自由にかつ容易に可能となる。従って、本発明は、三者通話のような複数の加入者がグループ通話する際のように、通話グループへの容易なかつ確実な参加と離脱とが必要かつ不可欠な用途に適用できる。
【図面の簡単な説明】
【００５５】
【図１】本発明における構内交換機の実施の一形態を機能ブロックで示した説明図である。
【図２】図１の会議参加者テーブル１７における機能の実施の一形態を記録パターンの変化で示した説明図である。（実施例１）
【図３】図１の構内交換機２０における主要動作手順の実施の一形態をフローチャートで示した説明図である。（実施例１）
【図４】図３の通話終了処理手順Ｓ２０における実施の一形態をフローチャートで示した説明図である。（実施例１）
【図５】図３のグループ切替え処理手順Ｓ３０における実施の一形態をフローチャートで示した説明図である。（実施例１）
【図６】図５の別グループへの切替え処理手順Ｓ４０における前半部分の実施の一形態をフローチャートで示した説明図である。（実施例１）
【図７】図６に続く、別グループへの切替え処理手順Ｓ４０における後半部分の実施の一形態をフローチャートで示した説明図である。（実施例１）
【図８】図５の原グループへの復帰処理手順Ｓ７０における実施の一形態をフローチャートで示した説明図である。（実施例１）
【符号の説明】
【００５６】
１０    構内交換機
１１    電話機ＩＦ（インタフェース）
１２    ＳＷ（スイッチ）
１３    グループ会議ユニット
１４    リソース
１５    グループ通話処理部
１６    制御部
１７    会議参加者テーブル（又は、参加者テーブル）
２０    多機能電話機（又は、電話機）
【図１】
0004422096.tif 000002
【図２】
0004422096.tif 000003
【図３】
0004422096.tif 000004
【図４】
0004422096.tif 000005
【図５】
0004422096.tif 000006
【図６】
0004422096.tif 000007
【図７】
0004422096.tif 000008
【図８】
0004422096.tif 000009